(57)【特許請求の範囲】
【請求項１】
筐体に出し入れ可能に配置された主引出しと、前記筐体に出し入れ可能に配置され前記主引出しの内部上方に設けられた内引出しと、に取付けられる引出し連動装置であって、
前記筐体の内側面に前記主引出しと前記内引出しの移動方向に沿って設けられ、前記主引出しと前記内引出しの移動方向に沿ったカム部を備えたハウジングと、
前記ハウジングに沿って移動可能とされ、前記主引出しに係合し引出し方向へ移動される移動部材と、
前記移動部材に設けられ、前記移動部材の引出し方向の位置に応じて前記カム部により上方への突出量を調整されるラッチ手段と、
前記内引出し設けられ、上方へ所定量以上突出した前記ラッチ手段が係合する係合部と、
前記移動部材に設けられ、前記移動部材の引出し方向の位置に応じて前記カム部により下方への突出量を調整されることで前記主引出しに係合するフック手段と、
を有する引出し連動装置。
【請求項２】
前記カム部は、前記移動部材が前記ハウジングの収納方向端部から所定距離引出し方向へ引出されるまで、前記ラッチ手段を前記内引出しの係合部に係合させない請求項１に記載の引出し連動装置。
【請求項３】
前記カム部は、前記移動部材が前記ハウジングの収納方向端部から前記所定距離以上引き出し方向へ移動すると、前記ラッチ手段を前記内引出しの係合部に係合させる請求項２に記載の引出し連動装置。
【請求項４】
前記カム部は、前記ラッチ手段が前記内引出しの係合部に係合して、前記移動部材が所定距離以上移動すると、前記ラッチ手段と前記内引出しの係合部との係合を強制的に解除可能とする請求項３に記載の引出し連動装置。
【請求項５】
前記カム部は、前記移動部材が前記ハウジングの引出し方向端部へ近づくと、前記フック手段と前記主引出しとの係合を解除する請求項１〜４の何れか１項に記載の引出し連動装置。
【請求項６】
前記ラッチ手段を前記カム部へ押し当てる方向へ付勢する付勢手段を有する請求項１〜５の何れか１項に記載の引出し連動装置。
【請求項７】
前記フック手段を前記カム部へ押し当てる方向へ付勢する付勢手段を有する請求項１〜６の何れか１項に記載の引出し連動装置。
【請求項８】
前記内引出しの係合部は、前記ラッチ手段の突出量が所定値より大きい場合に係合する鉛直部と、前記鉛直部に連続して設けられ前記ラッチ手段の突出量が前記所定値以下の場合に係合する傾斜部と、を有する請求項１〜７の何れか１項に記載の引出し連動装置。
【発明の詳細な説明】
【技術分野】
【０００１】
本発明は引出し連動装置に係り、特に、主引出しの上部に設置された内引出しが主引出しと同一方向にスライドする引出し連動装置に関するものである。
【背景技術】
【０００２】
従来のこの種の引出し連動装置として、例えば、特許文献１に示すものが知られている。この引出し連動装置では、キャビネット本体の収納庫内に、主引出しの上側に内引出しが収容されている。そして、主引出しには、その背板の上端より上方に向かって第２突状体が突設され、内引出しには、その底板より下方に向かって第１突状体が突設されている。そして、主引出しを収納庫から引き出したときに、第２突状体が第１突状体を押動することで、内引出しも引き出されるようになっている。
【先行技術文献】
【特許文献】
【０００３】
【特許文献１】特開２０１０−１１９４２号公報
【発明の概要】
【発明が解決しようとする課題】
【０００４】
しかしながら、特許文献１の引出し連動装置では、主引出しを収納庫から引き出したとき、主引出しの第２突状体が、内引出しの第１突状体に当接することで、内引出しが主引出しに連動するようになっている。このため、引出し途中で、主引出しに対して内引出しを収納方向へ分離することができない。この結果、使い勝手を向上することが望まれる。
【０００５】
本発明は上記事実を考慮し、主引出しと内引出しの連動と分離との切り替えが可能な引出し連動装置を得ることを課題とする。
【課題を解決するための手段】
【０００６】
請求項１に記載の発明は、筐体に出し入れ可能に配置された主引出しと、前記筐体に出し入れ可能に配置され前記主引出しの内部上方に設けられた内引出しと、に取付けられる引出し連動装置であって、前記筐体の内側面に前記主引出しと前記内引出しの移動方向に沿って設けられ、前記主引出しと前記内引出しの移動方向に沿ったカム部を備えたハウジングと、前記ハウジングに沿って移動可能とされ、前記主引出しに係合し引出し方向へ移動される移動部材と、前記移動部材に設けられ、前記移動部材の引出し方向の位置に応じて前記カム部により上方への突出量を調整されるラッチ手段と、前記内引出し設けられ、上方へ所定量以上突出した前記ラッチ手段が係合する係合部と、前記移動部材に設けられ、前記移動部材の引出し方向の位置に応じて前記カム部により下方への突出量を調整されることで前記主引出しに係合するフック手段と、を有する。
【０００７】
請求項１に記載の発明の引出し連動装置では、筐体の内側面に、カム部を備えたハウジングが主引出しと内引出しの移動方向に沿って設けられている。主引出しを引き出した場合には、主引出しに係合して移動部材が引出し方向へ移動する。また、移動手段がハウジングに沿って引出し方向へ移動すると、移動手段に設けたラッチ手段がハウジングに沿って引出し方向へ移動する。この際、移動部材の引出し方向の位置に応じて、ラッチ手段はカム部によって上方への突出量を調整されるため、上方へ突出量が所定値以上になると、ラッチ手段が内引出し設けられた係合部に係合することで、内引出しが主引出しに連動して引き出される。一方、ハウジングに沿って移動可能とされた移動部材に設けられフック手段が、移動部材の引出し方向の位置に応じてカム部によって下方への突出量が調整され主引出しに係合することで、主引出しと伴に移動体が収納方向へ移動する。従って、ハウジングのカム部の形状により、ラッチ手段の上方への突出量とフック手段の下方への突出量を変えることで、主引出しと内引出しの連動と分離との切り替えが可能になる。
【０００８】
請求項２に記載の発明は請求項１に記載の引出し連動装置において、前記カム部は、前記移動部材が前記ハウジングの収納方向端部から所定距離引出し方向へ引出されるまで、前記ラッチ手段を前記内引出しの係合部に係合させない。
【０００９】
請求項２に記載の発明の引出し連動装置では、主引出しを収納位置から引出す際に、移動部材がハウジングの収納方向端部から所定距離引出し方向へ引出されるまで、カム部がラッチ手段を内引出しの係合部に係合させない。このため、内引出しが移動しなので主引出しを収納位置から引出す際の負荷を軽減できる。
【００１０】
請求項３に記載の発明は請求項２に記載の引出し連動装置において、前記カム部は、前記移動部材が前記ハウジングの収納方向端部から前記所定距離以上引き出し方向へ移動すると、前記ラッチ手段を前記内引出しの係合部に係合させる。
【００１１】
請求項３に記載の発明の引出し連動装置では、主引出しを収納位置から引出す際に、移動部材がハウジングの収納方向端部から所定距離以上引き出し方向へ移動すると、カム部がラッチ手段を内引出しの係合部に係合させる。このため、内引出しを主引出しに連動させることができる。
【００１２】
請求項４に記載の発明は請求項３に記載の引出し連動装置において、前記カム部は、前記ラッチ手段が前記内引出しの係合部に係合して、前記移動部材が所定距離以上移動すると、前記ラッチ手段と前記内引出しの係合部との係合を強制的に解除可能とする。
【００１３】
請求項４に記載の発明の引出し連動装置では、主引出しを収納位置から引出す際に、ラッチ手段が内引出しの係合部に係合して、移動部材が所定距離以上移動すると、カム部がラッチ手段と内引出しの係合部との係合を強制的に解除可能とする。このため、係合状態にある主引出しと内引出しとを強制的に分離できる。
【００１４】
請求項５に記載の発明は請求項１〜４の何れか１項に記載の引出し連動装置において、前記カム部は、前記移動部材が前記ハウジングの引出し方向端部へ近づくと、前記フック手段と前記主引出しとの係合を解除する。
【００１５】
請求項５に記載の発明の引出し連動装置では、主引出しを収納位置から引出す際に、移動部材がハウジングの引出し方向端部へ近づくと、カム部がフック手段と主引出しとの係合を解除する。このため、主引出しのみを引出し方向へ移動できる。
【００１６】
請求項６に記載の発明は請求項１〜５の何れか１項に記載の引出し連動装置において、前記ラッチ手段を前記カム部へ押し当てる方向へ付勢する付勢手段を有する。
【００１７】
請求項６に記載の発明の引出し連動装置では、付勢手段がラッチ手段をカム部へ押し当てる方向へ付勢するため、ラッチ手段の突出量不足を防止できる。この結果、ラッチ手段を内引出しの係合部に確実に係合させることができる。
【００１８】
請求項７に記載の発明は請求項１〜６の何れか１項に記載の引出し連動装置において、前記フック手段を前記カム部へ押し当てる方向へ付勢する付勢手段を有する。
【００１９】
請求項７に記載の発明の引出し連動装置では、付勢手段がフック手段をカム部へ押し当てる方向へ付勢するため、フック手段の突出量不足を防止できる。この結果、フック手段を主引出しの係合部に確実に係合させることができる。
【００２０】
請求項８に記載の発明は請求項１〜７の何れか１項に記載の引出し連動装置において、前記内引出しの係合部は、前記ラッチ手段の突出量が所定値より大きい場合に係合する鉛直部と、前記鉛直部に連続して設けられ前記ラッチ手段の突出量が前記所定値以下の場合に係合する傾斜部と、を有する。
【００２１】
請求項８に記載の発明の引出し連動装置では、ラッチ手段の突出量が所定値より大きい場合にラッチ手段が内引出しの係合部の鉛直部に係合し、ラッチ手段の突出量が前記所定値以下の場合には、内引出しの係合部における鉛直部に連続して設けられた傾斜部に係合する。このため、ラッチ手段の突出量を所定値以下とし、ラッチ手段を係合部の傾斜部に係合させることで、ラッチ手段と内引出しの係合部との係合を強制的に解除できる。この結果、簡単な構成で係合状態にある主引き出しと内引出しとの係合を強制的に解除できる。
【発明の効果】
【００２２】
請求項１に記載の本発明の引出し連動装置は、上記構成としたので、主引出しと内引出しの連動と分離との切り替えが可能になる。
【００２３】
請求項２に記載の本発明の引出し連動装置は、上記構成としたので、主引出しを収納位置から引出す際の負荷を軽減できる。
【００２４】
請求項３に記載の本発明の引出し連動装置は、上記構成としたので、内引出しを主引出しに連動させることができる。
【００２５】
請求項４に記載の本発明の引出し連動装置は、上記構成としたので、係合状態にある主引出しと内引出しとを強制的に分離できる。
【００２６】
請求項５に記載の本発明の引出し連動装置は、上記構成としたので、主引出しのみを引出し方向へ移動できる。
【００２７】
請求項６に記載の本発明の引出し連動装置は、上記構成としたので、ラッチ手段を内引出しの係合部に確実に係合させることができる。
【００２８】
請求項７に記載の本発明の引出し連動装置は、上記構成としたので、フック手段を主引出しの係合部に確実に係合させることができる。
【００２９】
請求項８に記載の本発明の引出し連動装置は、上記構成としたので、簡単な構成で係合状態にある主引き出しと内引出しとの係合を強制的に解除できる。
【図面の簡単な説明】
【００３０】
【図１】本発明の一実施形態に係る引出し連動装置の要部を示す空走区間での概略側面図である。
【図２】本発明の一実施形態に係る引出し連動装置の要部を示す連動区間での概略側面図である。
【図３】本発明の一実施形態に係る引出し連動装置の要部を示す半連動区間での概略側面図である。
【図４】本発明の一実施形態に係る引出し連動装置の要部を示す分離区間での概略側面図である。
【図５】本発明の一実施形態に係る引出し連動装置の要部を示す分解斜視図である。
【図６】本発明の一実施形態に係る引出し連動装置のスライダーを示す側断面図である。
【図７】図６の７−７断面線に沿った断面図である。
【図８】図６の８−８断面線に沿った断面図である。
【図９】本発明の一実施形態に係る引出し連動装置が適用されたキッチンキャビネットを示す斜視図である。
【図１０】本発明の一実施形態に係る引出し連動装置が適用されたキッチンキャビネットを示す概略側断面図である。
【発明を実施するための形態】
【００３１】
本発明の一実施形態に係る引出し連動装置について図１〜図１０に従って説明する。なお、図中矢印ＦＲはキッチンキャビネット前方方向（引出し方向）を、矢印ＵＰはキッチンキャビネット上方方向を、矢印Ｗはキッチンキャビネット幅方向を示す。
【００３２】
図９に示すように、本実施形態の引出し連動装置が取付けられたキッチンキャビネット１０は筐体であるキャビネット本体１２を備えている。このキャビネット本体１２は、背板１２Ａと左右の側板１２Ｂとによってコの字型に覆われた内部空間を備えており、背板１２Ａに対向する前面が開口部１２Ｃとなっている。
【００３３】
また、キッチンキャビネット１０は、キャビネット本体１２の内部に収容される主引出し１４と、この主引出し１４の内部上方に設けられた内引出し１６と、を備えている。
【００３４】
図１０に示すように、主引出し１４及び内引出し１６のそれぞれの側部と、キャビネット本体１２の左右の側板１２Ｂの内側面とには、キャビネット本体１２に対して主引出し１４及び内引出し１６をキッチンキャビネット１０の前方となる引出し方向（図１０の矢印Ａ方向）と、キッチンキャビネット１０の後方となる収納方向（図１０の矢印Ｂ方向）にスライドさせるためのスライド部材２０、２２とレール部材２１、２３が設けられている。
【００３５】
なお、これらのスライド部材２０、２２及びレール部材２１、２３は、周知の構成であるため詳細な説明は省略するが、所定の範囲内で前後に主引出し１４及び内引出し１６を円滑にスライドさせて、且つ、主引出し１４及び内引出し１６を全開まで引き出したときにも支持可能な構成である。
【００３６】
主引出し１４はキャビネット本体１２の開口部１２Ｃを覆う鏡板（前板）１４Ａと、鏡板１４Ａに対向する背面側に設けられた背板１４Ｂと、２枚の側板１４Ｃと、底板１４Ｄとを備えている。また、主引出し１４は鏡板１４Ａと背板１４Ｂと２枚の側板１４Ｃと底板１４Ｄとで覆われ、上部が開口された収納空間１４Ｅを有する。
【００３７】
内引出し１６は前板１６Ａと、前板１６Ａに対向する背面側に設けられた背板１６Ｂと、２枚の側板１６Ｃと、底板１６Ｄとを備えている。また、内引出し１６は前板１６Ａと背板１６Ｂと２枚の側板１６Ｃと底板１６Ｄとで覆われ、上部が開口された収納空間１６Ｅを有する。
【００３８】
なお、内引出し１６の収納空間１６Ｅの奥行き長さは、主引出し１４の収納空間１４Ｅの奥行き長さより短くなっており、主引出し１４の収納空間１４Ｅは、主引出し１４の鏡板１４Ａと内引出し１６の前板１６Ａとの間の前側空間と、内引出し１６の前板１６Ａと主引出し１４の背板１４Ｂとの間の後側空間とに分割されている。よって、主引出し１４の収納空間１４Ｅにおける後側空間には、主引出し１４の底板１４Ｄから内引出し１６の底板１６Ｄまでの高さで収まる台所用品が収納され、この後側空間では収容できない高さとなる台所用品が、前側空間に収納されるようになっている。
【００３９】
（引出し連動装置）
図１０に示すように、キャビネット本体１２における左右の側板１２Ｂの内側面には、それぞれハウジング２６が設けられている。ハウジング２６は長尺状とされており、主引出し１４と内引出し１６の移動方向（図１０の矢印Ａ及び矢印Ｂ）となるキャビネット本体１２の前後方向に沿って設けられている。なお、ハウジング２６は内引出し１６の底板１６Ｄの下方及び、主引出し１４の背板１４Ｂの上方に隣接した位置に配置されている。
【００４０】
図５に示すように、ハウジング２６は第１ハウジング２７と第２ハウジング２８とを備えている。また、第１ハウジング２７の前端部と第２ハウジング２８の前端部には対向する側に突出した前壁部２７Ａ、２８Ａがそれぞれ形成されており、これらの前壁部２７Ａ、２８Ａの先端部が当接している。また、第１ハウジング２７の後端部と第２ハウジング２８の後端部には対向する側に突出した後壁部２７Ｂ、２８Ｂがそれぞれ形成されており、これらの後壁部２７Ｂ、２８Ｂの先端部が当接している。
【００４１】
また、ハウジング２６の前端部には、ハウジング２６をキャビネット本体１２に固定するための前ブラケット３０が取付けられている。また、ハウジング２６の後端部には、ハウジング２６をキャビネット本体１２に固定するための後ブラケット３２が取付けられている。なお、前ブラケット３０と後ブラケット３２は、ハウジング２６と一体的に成形してもよい。
【００４２】
第１ハウジング２７と第２ハウジング２８との間には、移動部材としてのスライダー３６が設けれている。また、スライダー３６は、ハウジング２６に沿ってキャビネット本体１２の前後方向（主引出し１４と内引出し１６の移動方向）へ移動可能とされている。
【００４３】
第１ハウジング２７と第２ハウジング２８との対向する内側面２７Ｃ、２８Ｃの上部には、カム部としてのラッチ用カム面４０が、ハウジング２６の長手方向（主引出し１４と内引出し１６の移動方向）に沿って形成されている。より具体的に説明すると、ラッチ用カム面４０は、第１ハウジング２７と第２ハウジング２８との対向する内側面２７Ｃ、２８Ｃに形成された凹部４２の上側の壁部で構成されており、ラッチ用カム面４０は、ハウジング２６の長手方向に沿って上下方向の位置が変化している。
【００４４】
また、第１ハウジング２７と第２ハウジング２８との対向する内側面２７Ｃ、２８Ｃの下には、カム部としてのフック用カム面４６が、ハウジング２６の長手方向（主引出し１４と内引出し１６の移動方向）に沿って形成されている。より具体的に説明すると、フック用カム面４６は、第１ハウジング２７と第２ハウジング２８との対向する内側面２７Ｃ、２８Ｃに形成された凹部４２の下側の壁部で構成されており、フック用カム面４６は、ハウジング２６の長手方向に沿って上下方向の位置が変化している。
【００４５】
図７に示すように、スライダー３６は、上ガイド部３６Ａと下ガイド部３６Ｂとを備えている。これらの上ガイド部３６Ａと下ガイド部３６Ｂとがハウジング２６を上下方向から挟持しており、スライダー３６がハウジング２６に対して移動可能となっている。
【００４６】
スライダー３６の内部には、ラッチ手段としてのラッチ５０が配置されており、ラッチ５０は上方向（図７の矢印Ｃ方向）と下方（図７の矢印Ｄ方向）とへ移動可能とされている。また、スライダー３６の内部には、付勢手段としてのコイルスプリング５２が配置されており、このコイルスプリング５２はラッチ５０をラッチ用カム面４０へ押し当てる方向（図７の矢印Ｃ方向）へ付勢している。
【００４７】
ラッチ５０の本端部５０Ａは上下方向に沿った長尺状となっており、上下方向中間部には、ストッパ５０Ｂが左右方向（幅方向）へ突出形成されている。また、各ストッパ５０Ｂの先端がラッチ用カム面４０に下方から当接している。
【００４８】
図６に示すように、ラッチ５０の本端部５０Ａの先端部（上端部）５０Ｃの後端部には、前方上側から後方下側に向かう傾斜面５０Ｄが形成されている。
【００４９】
図８に示すように、スライダー３６には、フック手段としてのフック６０が配置されている。フック６０は、上方向（図８の矢印Ｃ方向）と下方（図８の矢印Ｄ方向）とへ移動可能とされている。また、スライダー３６の内部には、付勢手段としてのコイルスプリング６２が配置されており、このコイルスプリング６２はフック６０をフック用カム面４６へ押し当てる方向（図８の矢印Ｄ方向）へ付勢している。
【００５０】
フック６０の本端部６０Ａは上下方向に沿った長尺状となっており、上下方向中間部には、ストッパ６０Ｂが左右方向（幅方向）へ突出形成されている。また、各ストッパ６０Ｂの先端がフック用カム面４６に上方から当接している。
【００５１】
図６に示すように、フック６０の本端部６０Ａにおける下端部はフック部６０Ｃとなっており、フック部６０Ｃの前端部には、前方上側から後方下側に向かう傾斜面６０Ｄが形成されている。また、フック部６０Ｃの後端部には、上下方向に沿った鉛直面６０Ｅが形成されており、鉛直面６０Ｅの上方側には鉛直面６０Ｅと連続して前方下側から後方上側に向かう傾斜面６０Ｆが形成されている。
【００５２】
従って、図２に示すように、主引出し１４が引出し方向（図２の矢印Ａ方向）へ移動すると、主引出し１４の背板１４Ｂが、フック６０の鉛直面６０Ｅに係合し、主引出し１４と伴にスライダー３６が前方（図２の矢印Ａ方向）へ移動するようになっている。
【００５３】
図６に示すように、スライダー３６の下ガイド部３６Ｂの後端部には下方へ向かって突出部３６Ｃが形成されており、突出部３６Ｃは主引出し１４の背板１４Ｂの後面に当接するようになっている。このため、主引出し１４が収納方向（図６の矢印Ｂ方向）へ移動すると、主引出し１４の背板１４Ｂの後面がスライダー３６の突出部３６Ｃに当接し、主引出し１４と伴にスライダー３６が収納方向（図６の矢印Ｂ方向）へ移動するようになっている。
【００５４】
図１に示すように、ラッチ用カム面４０は、ハウジング２６の後方側端部近傍となる後部４０Ａのハウジング２６の下面２６Ａからの高さＨ１が、他の部位の高さに比べて最も低くなっている。また、ラッチ用カム面４０は、ハウジング２６の前後方向中間部となる前後方向中間部４０Ｂのハウジング２６の下面２６Ａからの高さＨ２が、他の部位の高さに比べて最も高くなっている。さらに、ラッチ用カム面４０は、ハウジング２６の前部となる前部４０Ｃのハウジング２６の下面２６Ａからの高さＨ３が、後部４０Ａの高さＨ１より高く、前後方向中間部４９Ｂの高さＨ２より低くなっている（Ｈ２＞Ｈ３＞Ｈ１）。
【００５５】
なお、ラッチ用カム面４０における後部４０Ａと前後方向中間部４０Ｂとの間は傾斜面４０Ｄとなっており、前後方向中間部４０Ｂと前部４０Ｃとの間は傾斜面４０Ｅとなっている。
【００５６】
一方、フック用カム面４６は、ハウジング２６の後端から前端近傍までは、ハウジング２６の下面２６Ａからの高さＨ４が一定となった平面部４６Ａとなっており、ハウジング２６の前端近傍が、ハウジング２６の下面２６Ａからの高さＨ５が前方へ向かって徐々に高くなる傾斜部４６Ｂとなっている。
【００５７】
また、内引出し１６における後端下部１６Ｆにおけるハウジング２６の上方近傍となる部位には、係合部としてのストライカー７０が設けられている。ストライカー７０の前面７０Ａは、前方上側から後方下側に向かう傾斜面となっており、ラッチ５０の本端部５０Ａの先端部５０Ｃが摺動可能となっている。また、ストライカー７０の後面７０Ｂは、前方下側から後方上側に向かう傾斜面となっており、ラッチ５０の本端部５０Ａの先端部５０Ｃが摺動可能となっている。さらに、ストライカー７０の下面７０Ｃの前部には係合部としての係合凹部７２が上方に向かって形成されている。
【００５８】
係合凹部７２の前壁部の上部７２Ａは上下方向に沿った鉛直部（鉛直面）となっており、前壁部の下部７２Ｂは上部（鉛直部）７２Ａに連続し、後方上側から前方下側に向かう傾斜部（傾斜面）となっている。また、係合凹部７２の後壁部７２Ｃは前方上側から後方下側に向かう傾斜部（傾斜面）となっている。
【００５９】
従って、スライダー３６がハウジング２６の後端部及び後端部近傍にある場合には、ラッチ５０のストッパ５０Ｂが、ラッチ用カム面４０の後部４０Ａに当接しており、ラッチ５０は下方に押し下げられている（上方への突出量が少なくなっている）。このため、ラッチ５０の先端部５０Ｃがストライカー７０の係合凹部７２に係合しない空走区間となっている。
【００６０】
また、スライダー３６がハウジング２６の後端部及び後端部近傍にある場合には、フック６０のストッパ６０Ｂが、フック用カム面４６の平面部４６Ａに当接しており、フック６０は下方に押し下げられている（下方への突出量が大きくなっている）。このため、図２に示すように、主引出し１４が引出し方向（図２の矢印Ａ方向）へ移動すると、主引出し１４の背板１４Ｂが、フック６０の鉛直面６０Ｅに係合し、主引出し１４と伴にスライダー３６が前方（図２の矢印Ａ方向）へ移動するようになっている。
【００６１】
図２に示すように、スライダー３６がハウジング２６の前後方向中間部に移動した場合には、ラッチ５０のストッパ５０Ｂが、ラッチ用カム面４０の前後方向中間部４０Ｂに当接し、ラッチ５０は上方に押し上げられている（上方への突出量がも最も大きくなる）。このため、ラッチ５０の先端部５０Ｃがストライカー７０の係合凹部７２の前壁部の上部（鉛直部）７２Ａに係合するようになっている（連動区間）。なお、この連動区間ではラッチ５０の先端部５０Ｃが係合する係合凹部７２の前壁部の上部７２Ａが鉛直面となっているため、ラッチ５０の先端部５０Ｃがストライカー７０の係合凹部７２に対して前方側へ外れないようになっている。
【００６２】
図３に示すように、スライダー３６がハウジング２６の前部にある場合には、ラッチ５０のストッパ５０Ｂが、ラッチ用カム面４０の前部４０Ｃに当接しており、ラッチ５０は上方に押し上げられているが、上方への突出量は連動区間に比べて少なくなっている。このため、ラッチ５０の先端部５０Ｃが、ストライカー７０の係合凹部７２の前壁部の下部（傾斜部）７２Ｂに係合するようになっている（半連動区間）。
【００６３】
この半連動区間では、ラッチ５０（主引出し１４）に対してストライカー７０（内引出し１６）を収納方向（図３の矢印Ｂ方向）へ強制的に移動させると、係合凹部７２の前壁部の下部（傾斜部）７２Ｂとラッチ５０の先端部５０Ｃとが摺動するようになっている。このため、ラッチ５０がコイルスプリング５２の付勢力に抗して下方へ移動することで、ラッチ５０（主引出し１４）とストライカー７０（内引出し１６）との係合が強制的に解除されるようになっている。
【００６４】
また、ラッチ５０（主引出し１４）に対してストライカー７０（内引出し１６）を引出し方向（図３の矢印Ａ方向）へ強制的に移動させる場合には、ストライカー７０における係合凹部７２の後壁部７２Ｃの全体が傾斜面となっているため、係合凹部７２の後壁部７２Ｃとラッチ５０の傾斜面５０Ｄとが摺動し、ラッチ５０がコイルスプリング５２の付勢力に抗して下方へ移動することで、ラッチ５０（主引出し１４）とストライカー７０（内引出し１６）との係合が強制的に解除されるようになっている。なお、ラッチ５０（主引出し１４）に対してストライカー７０（内引出し１６）を引出し方向（図３の矢印Ａ方向）へ強制的に分離させる操作は、係合凹部７２の後壁部７２Ｃとラッチ５０の傾斜面５０Ｄとが摺動するため、ラッチ用カム面４０の前部４０Ｃに加えて前後方向中間部４０Ｂにおいても可能になっている。
【００６５】
図４に示すように、スライダー３６がハウジング２６の前端部にある場合には、フック６０のストッパ６０Ｂがフック用カム面４６の傾斜部４６Ｂの前端上部に当接しており、フック６０は上方に押し上げられている。このため、フック６０が、主引出し１４の背板１４Ｂより上方へ移動している。この結果、主引出し１４とスライダー３６との係合が解除されるので、主引出し１４は図４に二点鎖線で示すように、単独で引出し方向（図４の矢印Ａ方向）へ移動できるようになっている。
【００６６】
図５に示すように、スライダー３６の前端下部にはロック８０が設けられている。このロック８０はスライダー３６に対して前方（図５の矢印Ａ方向）及び後方（図５の矢印Ｂ方向）へ移動可能となっている。また、ロック８０を手動によって前方（図５の矢印Ａ方向）へ移動させると、ロック８０の側面８０Ａに設けた傾斜面８２により、フック６０がコイルスプリング６２の付勢力に抗して上方（図５の矢印Ｃ方向）へ移動しロックされるようになっている。このため、フック６０を上方位置にロックすることで、主引出し１４が引出し方向へ移動した際に、主引出し１４の背板１４Ｂがフック６０に係合しないようになっている。
【００６７】
この結果、ロック８０によってフック６０を上方位置にロックすると、主引出し１４が前方（図１の矢印Ａ方向）へ移動した場合に、スライダー３６が主引出し１４に連動しないようにできる。
【００６８】
（作用・効果）
次に、本発明の一実施形態に係る引出し連動装置の作用及び効果について説明する。
図１０に示すように、キャビネット本体１２の内部に、主引出し１４と内引出し１６とが完全に収納されている収納状態では、主引出し１４の背板１４Ｂに対して、内引出し１６の背板１６Ｂが前方側に離間した位置となっている。また、主引出し１４の鏡板１４Ａに対して、内引出し１６の前板１６Ａが後方側に離間した位置となっている。
【００６９】
この収納状態から主引出し１４を引き出すと、主引出し１４はスライド部材２０とレール部材２１とによって、引出し方向（図１０の矢印Ａ方向）へ移動を開始する。また、図２に示すように、主引出し１４の背板１４Ｂが、フック６０の鉛直面６０Ｅに係合し、スライダー３６がハウジング２６の後端部から引出し方向（図１０の矢印Ａ方向）へ移動する。
【００７０】
このとき、図１に示すように、スライダー３６のラッチ５０は、ストッパ５０Ｂがラッチ用カム面４０の後部４０Ａに当接しており、ラッチ５０は下方に押し下げられている（上方への突出量が最も少なくなっている）。このため、ラッチ５０の先端部５０Ｃがストライカー７０の係合凹部７２に係合しない空走区間となっており、主引出し１４と伴にスライダー３６は移動するが、内引出し１６は移動しない。
【００７１】
このため、主引出し１４の引出し開始時の引き出し力を小さくすることができる。この結果、主引出し１４にクローザーが設けられている場合にも、主引出し１４の引出し開始時の引き出し力を小さくでき、操作性が向上する。
【００７２】
次に、主引出し１４をさらに引出し、図２に示すように、スライダー３６がハウジング２６の長手方向中間部に達すると、ラッチ５０のストッパ５０Ｂが、ラッチ用カム面４０の前後方向中間部４０Ｂに当接し、ラッチ５０は上方に押し上げられる（上方への突出量がも最も大きくなる）。このため、ラッチ５０の先端部５０Ｃがストライカー７０の係合凹部７２の前壁部（鉛直部）７２Ａに係合し連動区間となる。この結果、主引出し１４と伴に内引出し１６が引出し方向（図２の矢印Ａ方向）移動する。
【００７３】
なお、この連動区間ではラッチ５０の先端部５０Ｃが係合凹部７２の前壁部（鉛直部）７２Ａに係合するため、ストライカー７０はラッチ５０に対して収納方向（図２の矢印Ｂ方向）へ移動できない。即ち、内引出し１６は主引出し１４に対して収納方向（図２の矢印Ｂ方向）へ分離できない。
【００７４】
なお、ラッチ５０（主引出し１４）に対してストライカー７０（内引出し１６）を引出し方向（図３の矢印Ａ方向）へ強制的に移動させる場合には、ストライカー７０における係合凹部７２の後壁部７２Ｃの全体が傾斜面となっているため、係合凹部７２の後壁部７２Ｃとラッチ５０の傾斜面５０Ｄとが摺動する。この結果、ラッチ５０がコイルスプリング５２の付勢力に抗して下方へ移動することで、ラッチ５０（主引出し１４）とストライカー７０（内引出し１６）との係合が解除される。即ち、内引出し１６を主引出し１４に対して引出し方向（図２の矢印Ａ方向）へ強制的に分離できる。
【００７５】
次に、主引出し１４をさらに引出し、図３に示すように、スライダー３６がハウジング２６の前部に達すると、ラッチ５０のストッパ５０Ｂが、ラッチ用カム面４０の前部４０Ｃに当接し、ラッチ５０は上方に押し上げられるが、上方への突出量は連動区間に比べて
少なくなる。このため、ラッチ５０の先端部５０Ｃがストライカー７０の係合凹部７２の前壁部（傾斜部）７２Ｂに係合する半連動区間となる。
【００７６】
この半連動区間においては、ラッチ５０（主引出し１４）に対してストライカー７０（内引出し１６）を収納方向（図３の矢印Ｂ方向）へ強制的に移動させると、ラッチ５０の先端部５０Ｃと係合凹部７２の前壁部（傾斜部）７２Ｂとが摺動する。この結果、ラッチ５０がコイルスプリング５２の付勢力に抗して下方へ移動することで、ストライカー７０とラッチ５０との係合が強制的に解除される。
【００７７】
よって、必要に応じて、内引出し１６のみを収納方向（図３の矢印Ｂ方向）へ移動し、主引出し１４の開口面積を広げることができる。
【００７８】
なお、ラッチ５０（主引出し１４）に対してストライカー７０（内引出し１６）を引出し方向（図３の矢印Ａ方向）へ強制的に移動させる場合には、ストライカー７０における係合凹部７２の後壁部７２Ｃの全体が傾斜面となっている。このため、係合凹部７２の後壁部７２Ｃとラッチ５０の傾斜面５０Ｄとが摺動し、ラッチ５０がコイルスプリング５２の付勢力に抗して下方へ移動することで、ストライカー７０とラッチ５０との係合を強制的に解除できる。
【００７９】
よって、必要に応じて、内引出し１６のみを引出し方向（図３の矢印Ａ方向）へ移動し、内引出し１６の開口面積を広げることもできる。
【００８０】
次に、主引出し１４をさらに引出し、図４に示すように、スライダー３６がハウジング２６の前端部に達すると、フック６０のストッパ６０Ｂがフック用カム面４６の傾斜部４６Ｂの前端上部に当接し、フック６０が上方に押し上げられる。このため、フック６０が主引出し１４の背板１４Ｂより上方へ移動する。この結果、主引出し１４の背板１４Ｂとスライダー３６との係合が解除されるので、主引出し１４は内引出し１６との連動が解除され、図４に二点鎖線で示すようにさらに引出し方向（図４の矢印Ａ方向）へ単独で移動できる。
【００８１】
なお、主引出し１４を図４に二点鎖線で示す引出し位置から収納方向（図４の矢印Ｂ方向）へ移動すると、主引出し１４の背板１４Ｂの後面がスライダー３６の突出部３６Ｃに係合する。このため、主引出し１４と伴にスライダー３６が収納方向（図４の矢印Ｂ方向）へ移動し、ラッチ５０に係合するストライカー７０と伴に、内引出し１６が図４に示す引出し位置から収納方向（図４の矢印Ｂ方向）へ移動する。
【００８２】
また、スライダー３６が収納方向（図４の矢印Ｂ方向）へ移動することで、フック６０のストッパ６０Ｂが、フック用カム面４６の傾斜部４６Ｂに沿って下方に移動する。このため、フック６０の下側前端部６０Ｃが、主引出し１４の背板１４Ｂより下方へ移動する。この結果、主引出し１４が引出し方向（図３の矢印Ａ方向）へ移動された場合には、主引出し１４に内引出し１６が連動する。
【００８３】
さらに、主引出し１４を収納方向（図４の矢印Ｂ方向）へ移動すると、図３に示す半連動区間と、図２に示す連動区間を経て、図１に示す空走区間に達する。図１に示す空走区間では、ラッチ５０と係合凹部７２との係合が解除され、主引出し１４と内引出し１６が分離される。この結果、内引出し１６が収納位置に停止した後、主引出し１４のみがさらに収納方向（図１の矢印Ｂ方向）へ移動し、図１に示す収納位置に停止する。
【００８４】
従って、本実施形態では、ハウジング２６のラッチ用カム面４０の形状（高さＨ１〜Ｈ３）を調節することで、主引出し１４と内引出し１６の連動と分離との切り替えが可能になる。
【００８５】
また、本実施形態では、主引出し１４を収納位置から引出す際に、スライダー３６がハウジング２６の収納方向端部から所定距離引出し方向へ引出されるまでは、、図１に示すように、ハウジング２６のラッチ用カム面４０の後部４０Ａによって、ラッチ５０が内引出し１６のストライカー７０に係合しない空走区間となる。このため、内引出し１６が移動しないので、主引出し１４を収納位置から引出す際の負荷を軽減できる。
【００８６】
また、本実施形態では、主引出し１４を収納位置から引出した際に、スライダー３６がハウジング２６の収納方向端部から所定距離以上引き出し方向へ移動すると、図２に示すように、主引出し１４の背板１４Ｂが、フック６０の鉛直面６０Ｅに係合し、主引出し１４と伴にスライダー３６が前方（図２の矢印Ａ方向）へ移動する。この結果、内引出し１６を主引出し１４に連動させることができる。
【００８７】
また、本実施形態では、主引出し１４を収納位置から引出した際に、ラッチ５０が内引出し１６のストライカー７０に係合して、スライダー３６が所定距離以上移動すると、図３に示すように、ハウジング２６のラッチ用カム面４０の前後方向中間部４０Ｂによって、ラッチ５０と内引出し１６のストライカー７０との係合を強制的に解除可能な半連動区間となる。このため、この半連動区間では、ラッチ５０とストライカー７０との係合を強制的に解除することで、主引出し１４に対して内引出し１６のみを収納方向（図３の矢印Ｂ方向）に移動することが可能になる（分離できる）。この結果、使い勝手が向上する。
【００８８】
また、本実施形態では、ラッチ５０の突出量が大きい場合にのみラッチ５０が内引出し１６のストライカー７０における係合凹部７２の前壁部（鉛直部）７２Ａに係合し、ラッチ５０の突出量が小さくなるとラッチ５０が係合凹部７２の前壁部（傾斜部）７２Ｂに係合する。このため、ラッチ５０の突出量を小さくし、ラッチ５０を係合凹部７２の前壁部（傾斜部）７２Ｂに係合させることで、ラッチ５０と内引出し１６のストライカー７０との係合を強制的に解除可能な半連動区間を形成することができる。この結果、簡単な構成で半連動区間を形成することができる。
【００８９】
また、本実施形態では、図７に示すように、コイルスプリング５２がラッチ５０をラッチ用カム面４０へ押し当てる方向（図７の矢印Ｃ方向）へ付勢している。ため、ラッチ５０の突出量不足を防止できる。この結果、ラッチ５０を内引出し１６のストライカー７０に確実に係合させることができる。
【００９０】
また、本実施形態では、図８に示すように、コイルスプリング６２がフック６０をフック用カム面４６へ押し当てる方向へ付勢している。このため、フック６０の突出量不足を防止できる。この結果、フック６０を主引出し１４の背板１４Ｂに確実に係合させることができる。
【００９１】
また、本実施形態では、図５に示すように、ロック８０を手動によって前方（図５の矢印Ａ方向）へ移動させると、ロック８０の側面８０Ａに設けた傾斜面８２により、フック６０がコイルスプリング６２の付勢力に抗して上方（図５の矢印Ｃ方向）へ移動しロックされる。このため、フック６０を上方位置にロックすることで、主引出し１４が引出し方向（図１の矢印Ａ方向）へ移動した場合に、スライダー３６が主引出し１４に連動しないようにできる。この結果、内引出し１６が主引出し１４に連動しないようにすることもできる。
【００９２】
（その他の実施形態）
以上に於いては、本発明を特定の実施形態について詳細に説明したが、本発明は上記実施形態に限定されるものではなく、本発明の範囲内にて他の種々の実施形態が可能であることは当業者にとって明らかである。例えば、上記実施形態では、本発明の引出し連動装置を図９及び図１０に示すキッチンキャビネット１０に取付けたが、本発明の引出し連動装置は、加熱調理部を備えたレンジ台が引出しの上方を覆う天板上に設置されるシステムキッチン等にも適用可能である。さらに、本発明の引出し連動装置は、キッチン以外で使用する他のキャビネットの引出しにも適用可能である。
【符号の説明】
【００９３】
１０    キッチンキャビネット
１２    キャビネット本体
２６    ハウジング
３６    スライダー（移動部材）
４０    ラッチ用カム面（カム部）
４２    凹部
４６    フック用カム面（カム部）
５０    ラッチ（ラッチ手段）
５２    コイルスプリング（付勢手段）
６０    フック（フック手段）
６２    コイルスプリング（付勢手段）
７０    ストライカー（係合部）
７２    係合凹部
【図１】
0005388951.tif 000002
【図２】
0005388951.tif 000003
【図３】
0005388951.tif 000004
【図４】
0005388951.tif 000005
【図５】
0005388951.tif 000006
【図６】
0005388951.tif 000007
【図７】
0005388951.tif 000008
【図８】
0005388951.tif 000009
【図９】
0005388951.tif 000010
【図１０】
0005388951.tif 000011